(57)【特許請求の範囲】
【請求項１】
床スラブＦに設置固定される脚体１に取り付け可能とされて床パネルＰを支持する床受体２と、床パネルＰを床受体２に締結固定する締結具とを備えており、
締結具は、床受体２のベース７に連結される本体部１３と、本体部１３にねじ込まれるねじ体１４とからなり、
本体部１３が、ベース７に対して傾動可能に連結固定してある二重床用床パネルの支持装置。
【請求項２】
床スラブＦに設置固定される脚体１と、床パネルＰを支持する床受体２と、床パネルＰを床受体２に締結固定する締結具とを備えており、
締結具は、床受体２のベース７に連結される本体部１３と、本体部１３にねじ込まれるねじ体１４とからなり、
本体部１３が、ベース７に対して傾動可能に連結固定してある二重床用床パネルの支持装置。
【請求項３】
本体部１３が、ベース７に通設した連結穴１０に連結されるパネル受１９と、パネル受１９の下部に設けられてベース７を上下に挟持する押接体２０および掛止片２１とを備えており、
ベース７の上面に接当する押接体２０は、パネル受１９に上下スライド自在に支持されて、ばね２２で押し下げ付勢されており、
掛止片２１は、パネル受１９内に収容されて、連結穴１０を通過できる掛止待機位置と、パネル受１９の外郭線外に突出して、連結穴１０の下面開口縁に掛止する掛止位置との間にわたって姿勢変位できるよう、パネル受１９にピン２９で支持されている請求項１又は２記載の二重床用床パネルの支持装置。
【請求項４】
スライド爪２６を有する押接体２０が、筒状のパネル受１９の下半部の対向周面に開口形成したガイド溝２５で上下スライド自在に案内支持されて、パネル受１９の内部に収容した圧縮コイル形のばね２２で押し下げ付勢されており、
掛止片２１は、押接体２０を受け止め支持して掛止待機姿勢を維持しており、
連結穴１０には、ガイド溝２５に係合してスライド爪２６を受け止める受爪１１が突設されており、
ばね２２に抗してパネル受１９を連結穴１０に押し込み操作した状態において、掛止片２１が自重で傾動して掛止姿勢に切り換わるよう構成してある請求項３記載の二重床用床パネルの支持装置。
【請求項５】
丸筒状のパネル受１９に、リング状の押接体２０が上下スライド自在に外嵌装着されており、
押接体２０のリング内面には、スライド爪２６を兼ねるばね受片３２が突設してある請求項３又は４記載の二重床用床パネルの支持装置。
【請求項６】
押接体２０の下面に、掛止片２１と凹凸係合して、掛止片２１を掛止待機姿勢に保持する保持部３３が設けてある請求項３又は４又は５記載の二重床用床パネルの支持装置。
【請求項７】
保持部３３が掛止片２１の端部を受け入れる凹部で形成してある請求項６記載の二重床用床パネルの支持装置。
【発明の詳細な説明】
【０００１】
【発明の属する技術分野】
本発明は、床スラブ上に適当な間隔をあけて床面を構築するための二重床用床パネルの支持装置に関し、とくに床パネルの遊動や浮き上がり等を阻止する締結具を備えたものである。
【０００２】
【従来の技術】
床パネルを締結具で止め付けるねじ方式の支持装置として、図１０に示す支持装置が実用に供されている（文献不詳）。そこでは、床スラブＦ上に設置固定される脚体６０と、床パネルＰを下面側から支持する床受体６１とで支持装置を構成している。脚体６０は、座板６２の中央にねじ軸６３を溶接して立設してあり、ねじ軸６３に高さ調整用のナット６４がねじ込んである。床受体６１は、ねじ軸６３に外嵌装着される筒軸６５と、筒軸６５の上端に溶接したベース板６６と、ベース板６６の四隅に溶接した４個の雌ねじ体６７とからなる。ベース板６６の四隅にねじ穴を設けて、雌ねじ体６７を省略した支持装置もある。
【０００３】
使用時には、一群の脚体６０を床スラブＦ上に固定し、ナット６４を上下調整したのち床受体６１を脚体６０に組む。次に、床パネルＰを雌ねじ体６７に外嵌係合し、床パネルＰの隅の係合穴６８に挿通したビス６９を雌ねじ体６７にねじ込んで、床パネルＰを固定する。同様にして、残り３個の雌ねじ体６７に床パネルＰを締結することにより、支持装置へのパネル装着を終了できる。先の係合穴６８は床パネルＰを製造する時点で、パネル四隅に予め通設してある。
【０００４】
【発明が解決しようとする課題】
締結具を有するねじ止め式の支持装置は、歩行に伴う床パネルのがた付きや遊動を解消できるうえ、地震等の際に床パネルが支持装置から浮き上がったり分離するのを防止できる。しかし、その施工は難しく、熟練した技術者であっても二重床の構築に多くの手間と時間が掛かる。支持装置や床パネルの加工上のばらつきを無視したとしても、一群の脚体を床スラブ上の所定位置にばらつきなく設定するのが難しく、床パネルを締結する時点で、雌ねじ体と係合穴との中心位置にずれを生じていることが多い。また、床パネルの四隅を支持する支持装置の高さが少しでも違っていると床パネルが傾斜しやすくなるため、パネル四隅の係合穴の全てを支持装置における雌ねじ体にスムースに嵌合させることは難しくなる。こうした状況では、係合穴を拡大修正して床パネルを締結する以外になく、余分な手間が掛かるうえ、施工品質の低下を避けられない。
【０００５】
本発明の目的は、締結具を備えているねじ止め式の支持装置において、床パネルと支持装置の締結中心にずれが生じていたとしても、ずれを吸収調整して床パネルを支障なく締結固定でき、二重床を能率良く構築できる、二重床用床パネルの支持装置を提供することにある。本発明の目的は、締結具が床受体とは別体のユニット部品として構成してあり、床パネルの厚み寸法や材質等の違いに応じて、使用する締結具を変更選択できるようにすることにある。本発明の目的は、ユニット部品化された締結具を床受体に単に押し込み操作するだけで、ワンタッチで連結できるようにすることにある。本発明の目的は、床受体に対してワンタッチで連結できる締結具を備えている二重床用床パネルの支持装置において、連結要素のひとつである掛止片を押接体で掛止待機姿勢に保持して、締結具の搬入時や取扱い時に、掛止片が意に反して掛止姿勢に切り換わるのを阻止し、作業現場における締結具の取り扱いを容易化することにある。
【０００６】
【課題を解決するための手段】
本発明の支持装置は、床スラブＦに設置固定される脚体１に取り付け可能とされて床パネルＰを支持する床受体２と、床パネルＰを床受体２に締結固定する締結具とを備えている。締結具は、床受体２のベース７に連結される本体部１３と、本体部１３にねじ込まれるねじ体１４とからなり、本体部１３をベース部７に対して傾動可能に連結固定する。
【０００７】
その本体部１３は、ベース７に設けた連結穴（切り欠きを含む）１０に連結されるパネル受１９と、パネル受１９の下部に設けられてベース７を上下に挟持する押接体２０および掛止片２１とを備えている。ベース７の上面に接当する押接体２０は、パネル受１９で上下スライド自在に支持して、ばね２２で押し下げ付勢する。掛止片２１は、パネル受１９内に収容されて、連結穴１０を通過できる掛止待機位置と、パネル受１９の外郭線外に突出して連結穴１０の下面開口縁に掛止する掛止位置との間にわたって姿勢変位できるよう、パネル受１９にピン２９で支持する。
【０００８】
スライド爪２６を有する押接体２０は、筒状のパネル受１９の下半部の対向周面に開口形成したガイド溝２５で上下スライド自在に案内支持し、パネル受１９の内部に収容した圧縮コイル形のばね２２で押し下げ付勢する。掛止片２１は、押接体２０を受け止め支持して掛止待機姿勢を維持する。連結穴１０には、ガイド溝２５と係合して、スライド爪２６を受け止める受爪１１を突設する。ばね２２に抗してパネル受１９を連結穴１０に押し込み操作した状態において、掛止片２１が自重で傾動して掛止姿勢に切り換わるよう構成する。
【０００９】
押接体２０は、図５に示すごとくリング状に形成できる。この場合は丸筒状のパネル受１９に、リング状の押接体２０を上下スライド自在に外嵌装着し、押接体２０のリング内面にスライド爪２６を兼ねるばね受片３２を突設しておけばよい。
【００１０】
掛止片２１が意に反して掛止姿勢に切り換わるのを防ぐために、図７に示すように押接体２０の下面に、掛止片２１と凹凸係合して、掛止片２１を掛止待機姿勢に保持する保持部３３を設ける。保持部３３は掛止片２１の端部を受け入れる凹部で形成する。
【００１１】
【作用】
使用時には、床パネルＰの四隅に設けた挿通穴（切り欠きを含む、以下同じ）３０を、床受体２に予め装着してある本体部１３に係合した後、ねじ体１４を床パネルＰの上面側から本体部１３にねじ込んで、床パネルＰを本体部１３を介して床受体２に締結固定する。挿通穴３０を本体部１３に係合するとき、本体部１３と挿通穴３０との中心位置がずれていた場合には、本体部１３がベース７に対して傾動して両者の位置ずれを吸収するので、床パネルＰを支障なく締結できる。
【００１２】
締結具を床受体２とは別のユニット部品として構成した支持装置によれば、例えば床パネルＰの厚さの違いに応じた本体部１３を複数種用意しておくだけで、脚体１および床受体２をそのまま利用でき、厚みの異なる床パネルＰごとに床受体が専用品化してある場合に比べて、支持装置を安価に提供できる。
【００１３】
本体部１３とパネル受１９と押接体２０と掛止片２１等で構成した締結具は、掛止片２１を掛止待機姿勢にした状態でパネル受１９をベース７の連結穴１０に差し込んだ後、掛止片２１を掛止姿勢にすることによって、ばね２２で押し下げられる押接体２０と、連結穴１０の下面開口縁に掛止する掛止片２１とで、ベース７を上下に挟持して本体部１３の連結状態を維持できる。こうした締結具は、常態において本体部１３をベース７上に起立保持できるうえ、中心位置のずれを吸収するためにパネル受１９が傾動するとき、押接体２０がばね２２に抗してスライド変位して、傾動動作を吸収できる。
【００１４】
押接体２０を掛止片２１に圧接してその掛止待機姿勢を維持し、押接体２０による押圧力を解放した状態では、掛止片２１が自重で傾動して掛止姿勢に切り換わる締結具によれば、パネル受１９を連結穴１０内に押し込み操作した後、押し下げ力を解放するだけで、掛止片２１を掛止姿勢に切り換えて連結穴１０の開口縁に掛止できる。つまり、締結具の本体部１３を床受体に対してワンタッチで連結できる。
【００１５】
押接体２０の下面に例えば凹部からなる保持部３３を設け、保持部３３に掛止片２１の端部を係合して、掛止片２１を掛止待機姿勢に保持する締結具によれば、パネル受１９の下部から突出する掛止片２１が他物と接当して掛止姿勢へ切り換わるのを防いで、掛止待機姿勢を保持し続けることができる。
【００１６】
【実施例】
（第１実施例）
図１ないし図４は本発明に係る床パネル用の支持装置の第１実施例を示す。図２において、支持装置は床スラブＦに設置固定される脚体１と、床パネルＰを支持する床受体２と、床パネルＰを床受体２に締結固定する４個の締結具とからなる。
【００１７】
脚体１は、四角形状の座板３の上面中央にねじ軸４を溶接して立設し、ねじ軸４に高さ調整用のナット５をねじ込んで形成する。ナット５の周面には、任意の調整位置においてナット５を回動不能に固定するロックボルト６がねじ込んである。
【００１８】
床受体２は、四角形状のベース７の下面中央に筒軸８を溶接して形成する。筒軸８はねじ軸４に自由に外嵌着脱でき、装着状態において筒軸８の下端面がナット５で受け止め支持される。筒軸８の周面下部にもロックボルト９がねじ込んであり、このロックボルト９をねじ込むことで床受体２をねじ軸４に対して抜き外し不能に固定できる。ベース７の四隅には、締結具用の連結穴１０を上下貫通状に設ける。その各連結穴１０は丸穴状に形成してあり、その対向内周面には図３に示すごとく一対の受爪１１が突設されている。
【００１９】
図３において、締結具はベース７に連結される本体部１３と、本体部１３にねじ込まれるねじ体１４とからなり、これら両者１３・１４で床パネルＰを床受体２に締結固定する。ねじ体１４は円形の操作頭部１５の下面側にねじ軸１６を有し、操作頭部１５の直径寸法をねじ軸１６の呼び寸法より十分に大きく設定し、その上面に回動用の操作溝１７を形成してある。
【００２０】
本体部１３は丸筒軸で形成したパネル受１９と、パネル受１９に組み付けられる押接体２０および掛止片２１と、押接体２０を押し下げ付勢する圧縮コイル形のばね２２とからなる。パネル受１９の内面上下には、前記ねじ体１４をねじ込むためのねじ穴２３と、ねじ穴２３より大径のばね受穴２４とを設ける。ばね受穴２４に臨むパネル受１９の対向周面には、下端縁から上方に向けて押接体２０用のガイド溝２５を上下方向に通設する。
【００２１】
押接体２０は、ばね受穴２４内を自由に上下移動できる円形状の基部を有し、その対向周面にガイド溝２５でスライド案内される一対のスライド爪２６を突設した鍵穴形のプレス打抜品からなる。掛止片２１は長方形状のプレス打抜品からなり、長手方向の一端隅部を斜めに切除する。この切除部を符号２７で示す。
【００２２】
本体部１３は次のように組んでユニット部品化する。パネル受１９のばね受穴２４に、下方からばね２２と押接体２０とを順に装填し、次にばね受穴２４を横断する状態で掛止片２１をガイド溝２５に差し込み装着し、パネル受１９を横断するピン２９でパネル受１９に掛止片２１を回動自在に支持する。
このときのピン中心は掛止片２１の長手方向中央から切除部２７の側へ片寄った位置にあり、さらに切除部２７に連続する長辺部の側へ片寄った位置にある。掛止片２１の長手方向の一側半部と他側半部との重量を異ならせて、長手方向両側の重量バランスを不安定化するためである。切除部２７を設けることも重量バランスを不安定化することに役立っている。ピン２９で軸支した掛止片２１は、全体が縦長姿勢になってばね受穴２４内に収容される掛止待機位置（図２の右方に示す状態）と、全体が横長姿勢になって一対のガイド溝２５から外方に突出する掛止位置（図１の状態）との間にわたって姿勢が変位できる。
【００２３】
本体部１３はベース７の連結穴１０に連結するが、連結状態において本体部１３を全周方向へ傾動できるようにするために、連結穴１０をパネル受１９よりもひとまわり大きく形成する。この実施例では、パネル受１９の外直径を１２mmとするとき、連結穴１０の内径を１４mmとした。さらに受爪１１の幅寸法をガイド溝２５の幅寸法より小さく設定して、受爪１１とガイド溝２５とが支障なく相対スライドできるようにしてある。
【００２４】
以上のように構成した支持装置は、脚体１の一群を床スラブＦ上に締結固定ないしは接着固定したのち、図２に示すごとくねじ軸４に床受体２の筒軸８を挿嵌してロックボルト９でねじ軸４に筒軸８を固定する。次に、各床受体２ごとに４個の締結具を連結する。連結する前の締結具は、掛止片２１が掛止待機姿勢になっており、切除部２７と反対側の端面で押接体２０を受け止め支持している。受爪１１とガイド溝２５とが互いに係合する状態でパネル受１９を連結穴１０に差し込むと、押接体２０が受爪１１に接当する。この状態から、ばね２２の弾性に抗してパネル受１９をさらに押し下げ操作すると、図４に示すように掛止片２１と押接体２０とが上下に分離し、掛止片２１はそれまで作用していた押接体２０の押し下げ力から解放される。
【００２５】
上記のように押接体２０から分離した掛止片２１は、パネル受１９の押し下げ衝撃や、自己の運動慣性力を受けて左右いずれかへ傾動し、以後は自己の重量差に基づく回動モーメントによって横長姿勢へと切り換わる。この状態でパネル受１９の押し下げ力を解放すると、パネル受１９の全体が上方へ移動し、掛止片２１が図１に示すように連結穴１０の下面側の開口縁に受け止められる。これにより、受爪１１の上下面を押接体２０と掛止片２１とで挟持して、本体部１３を起立姿勢に保持できる。同様にして、パネル受１９を限界位置まで押し込み操作し、押し下げ力を解放することにより、残りの本体部１３をベース７に対して次々とワンタッチで連結できる。
【００２６】
本体部１３のベース７への組み付けを終えたら、床パネルＰを組む。詳しくは、図２に示すごとく床パネルＰの四隅に設けた挿通穴３０を、対応する４個の本体部１３に上面側から嵌め込んで、下面四隅部を４個の床受体２のベース７上に載置する。このとき、床スラブＦに脚体１の座板３を取り付ける際にベース７の水平度に狂いが生じたり、あるいは脚体１の水平方向の位置がずれるなどして、４個の挿通穴３０の中心位置と、対応する本体部１３の中心位置とにずれを生じていることがある。このずれは本体部１３が前記ばね２２を介してベース７に対して傾動することで吸収できる。例えば隣接する挿通穴３０・３０のピッチが、隣接する床受体２・２に設けた本体部１３・１３のピッチより小さい場合には、両本体部１３・１３が互いに接近する向きに傾動し、逆の場合には両本体部１３・１３が互いに離れる向きに傾動する。従って、床パネルＰは４個の本体部１３に支障なく組むことができる。既に固定した床パネルＰとの関係で、床パネルＰの全体を縦横に調整移動することもできる。この後、各本体部１３にねじ体１４をねじ込むことにより、床パネルＰを支持装置に締結固定する。このとき、受爪１１はガイド溝２５と接当係合して、パネル受１９がねじ体１４と連れまわりするのを防ぐ。
【００２７】
なお、本体部１３の傾動による芯ずれの吸収を確実なものとするために、床パネルＰの挿通穴３０の直径寸法は、パネル受１９の外径寸法より大きめに形成する。本体部１３とねじ体１４とは、床パネルＰの僅かな厚み変動には対応できるが、厚みの異なる複数種の床パネルＰに共用することはできない。こうした場合には、上下寸法が異なる本体部１３を厚みの異なる床パネルＰに対応して用意することにより、脚体１および床受体２はそのまま依然として共用できる。
【００２８】
（第２施例）
上記の第１実施例では、鍵穴形の押接体２０をばね受１９内に収容したが、その必要はなく、図５に示すように押接体２０をリング状に形成し、リング内面にばね受片３２を設けてもよい。この押接体２０はパネル受１９に上下スライド自在に外嵌装着されて、ばね受片３２のみがばね受穴２４内を上下移動する。つまり、ばね受片３２は先の第１実施例におけるスライド爪２６を兼ねている。このように、押接体２０をパネル受１９に外嵌する場合には、ばね２２をパネル受１９に外嵌するよう配置することができ、パネル受１９を中実軸で形成することができる。
【００２９】
（第３実施例）
パネル受１９は四角軸、六角軸、楕円軸などの非円形軸で形成できる。この場合は、図６に示すように受爪１１を省略でき、省略した空間部を利用してＬ字形の一対の掛止体２１ａで掛止片２１を構成できる。掛止待機状態において、両掛止体２１ａは押接体２０の周縁壁２０ａで傾動不能に係合保持されている。パネル受１９をばね２２に抗して押し込み操作すると、一対の掛止体２１ａは周縁壁２０ａから分離して、想像線で示すように自己の重量で拡開状に下方揺動して、ベース７の下面で受け止められる。この場合の押接体２０は第２実施例と同様に形成する。
【００３０】
（第４実施例）
図７ないし図９は、締結具の一部を変更し、さらに脚体１と床受体２の連結構造を変更した実施例を示す。
【００３１】
第１実施例における掛止片２１は、図１に示すようにその一側端面で押接体２０を受け止めて掛止待機姿勢を維持している。この状態の掛止片２１が他物と接当するような場合に、掛止片２１がばね２２の付勢力に抗して押接体２０を押し上げながら傾動操作され、掛止状態へ切り換わってしまうことがある。こうした締結具は、押接体２０をばね２２の付勢力に抗してスライド操作したうえで、掛止片２１を掛止待機姿勢に戻してやる必要があり、その作業に少なからず手間が掛かる。
【００３２】
上記のように、掛止片２１が意に反して掛止状態へ切り換わるのを防ぐために、図７に示すように押接体２０の下面に掛止片２１の端部を受け入れる保持部３３を設けた。保持部３３は凹部として形成した。さらに保持部３３の形成位置を押接体２０の中心から径方向外側へずらして、掛止片２１を斜めに傾斜した状態で係合保持できるようにし、パネル受１９をベース７に連結するときの、掛止片２１の掛止姿勢への倒れ込み動作を確実なものとした。押接体２０の上面には、ばね受用の突起３４を一体に設けた。なお、この第４実施例におけるパネル受１９および押接体２０は、それぞれダイキャスト成形品として形成した。掛止片２１もダイキャスト成形品からなり、ピン２９で軸支されるボス部２１ｂの両側に、一対の掛止腕２１ｃ・２１ｃを突設した。
【００３３】
脚体１と床受体２とは、図８および図９に示す連結機構で連結した。連結機構は、筒軸８の下端に張り出したフランジ３６と、ナット５の周囲３個所において傾動自在に軸４２で支持した連結片３７と、連結片３７の分離傾動を阻止するロックリング３８で構成する。連結片３７は、フランジ３６の周縁壁と係合する凹部３９と、ロックリング３８で外嵌状に捕捉係合されるロック爪４０と、連結片３７の過剰傾動を阻止する規制爪４１を備えている。
【００３４】
床受体２を組む前の状態では、各連結片３７はロック爪４０が後傾し、凹部３９が斜め上方を指向している。この状態で筒軸８をねじ軸４に外嵌すると、フランジ３６の周縁壁が凹部３９の凹み始端に接当し、連結片３７を軸４２のまわりに傾動する。連結片３７が下方揺動するのに伴って、凹部３９はフランジ３６と深く係合し、ロック爪４０は筒軸８の周面に沿って起立する。最後に、ロックリング３８を各連結片３７のロック爪４１に外嵌して、連結片３７が外開き揺動するのを防ぐ。
【００３５】
上記の連結機構によれば、地震等の際に床受体２がねじ軸４から抜け出るのを確実に防止できるうえ、床受体２を脚体１に対して簡単に連結固定できる。図８において、符号４３はプラスチック成形品からなるパネル受マットであり、床受体２のベース７に外嵌状に装着する。パネル受マット４３の受面には、締結具の通過を許す穴を各連結穴１０に対応して通設する。床パネルＰはダイキャスト成形品からなり、その上壁にねじ体１４用の挿通穴３０が通設してある。
【００３６】
保持部３３は突起として形成することができ、この場合には、掛止片２１の端部に突起と係合する凹みを形成しておく。
【００３７】
上記の各実施例では、押接体２０で掛止片２１を掛止待機姿勢に保持し、掛止片２１が自重で掛止姿勢に切り換わるようにしたが、その必要はなく、例えば掛止片２１を手動で掛止待機位置と掛止位置とに切り換えて、本体部１３をベース７に対して分離不能に装着する形式でもよい。また、床パネルＰ側の挿通穴３０は切り欠き状に形成されていてもよい。
【００３８】
【発明の効果】
本発明では、締結具の本体部１３を床受体２のベース７に対して傾動可能に連結し、床パネルＰの挿通穴３０と本体部１３との締結中心のずれを、本体部１３が傾動することで吸収できるようにした。従って、床パネルＰを床受体２に組む時点で両者の締結中心位置にずれが生じていたとしても、床パネルＰを本体部１３に対して支障なく組み付けられ、二重床用の床パネルＰを能率よく敷設し、その施工費用を減らすことができる。
【００３９】
本体部１３を床受体３とは別体のユニット部品として構成した締結具によれば、上下寸法が異なる複数種の本体部１３を設けておくことにより、厚みが異なる床パネルＰに容易に対応でき、全ての支持装置において脚体１および床受体２を共用して、支持装置の製造に要するコストを減少できる。
本体部１３はパネル受１９と、ベース７を上下に挟持する押接体２０および掛止片２１と、押接体２０を押し下げ付勢するばね２２とで構成し、押接体２０で掛止片２１の掛止待機姿勢を保持し、押接体２０による保持を解除すると、掛止片２１が自重で掛止姿勢に切り換わるようにした締結具によれば、本体部１３のベース７に対する連結をワンタッチで行って、施工時の手間を減少できる。
【００４０】
押接体２０の下面に保持部３３を設け、保持部３３に掛止片２１の端部を係合して、掛止片２１を掛止待機姿勢に保持できるようにした締結具によれば、例えば掛止片２１が他物と接当して掛止姿勢へ切り換わるのを防止でき、施工現場において、掛止姿勢に切り換わった掛止片２１を待機姿勢へ戻す手間を解消し、床パネルＰの敷設作業を能率よく行える。
【図面の簡単な説明】
【図１】床パネルを締結した状態の締結具の正面図である。
【図２】床パネルの支持装置を示す縦断面図である。
【図３】締結具の分解斜視図である。
【図４】掛止片の動作を示す縦断面図である。
【図５】第２実施例の押接体を示す横断平面図である。
【図６】第３実施例の掛止片を示す縦断面図である。
【図７】第４実施例の締結具を示す縦断面図である。
【図８】第４実施例に係る床パネルの支持装置を示す縦断面図である。
【図９】図８におけるＡ−Ａ線断面図である。
【図１０】従来の支持装置を示す正面図である。
【符号の説明】
１  脚体
２  床受体
７  ベース
１０  連結穴
１３  本体部
１４  ねじ体
１９  パネル受
２０  押接体
２１  掛止片
２２  ばね
３３  保持部
Ｆ  床スラブ
Ｐ  床パネル
【図１】
0003743784.tif 000002
【図２】
0003743784.tif 000003
【図３】
0003743784.tif 000004
【図４】
0003743784.tif 000005
【図５】
0003743784.tif 000006
【図６】
0003743784.tif 000007
【図７】
0003743784.tif 000008
【図８】
0003743784.tif 000009
【図９】
0003743784.tif 000010
【図１０】
0003743784.tif 000011